(57)【要約】【課題】  記録材及び原稿の画像を読取る際の生産性が向上する画像形成装置を提供する。【解決手段】  両面搬送路の一部が原稿搬送路と共用の共用搬送路となっており、共用搬送路の、反転部で反転された記録材の二つの面のうち直前に第１の回転体と接触した記録材の面と対向する側、に読取部が設けられており、読取部で、定着後の記録材の画像、及び原稿の画像を読取る機能を有する。【選択図】  図２
2018018029.tif 000002
【特許請求の範囲】
【請求項１】
記録材に未定着画像を形成する画像形成部と、
記録材上の未定着画像と接触する第１回転体と、前記第１回転体と共に定着ニップ部を形成する第２回転体と、を有し、記録材上の未定着画像を記録材に定着する定着部と、
前記定着部を通過した記録材の後端が先端に変わって搬送されるように記録材を反転させる反転部と、
前記反転部により反転された記録材を再び前記画像形成部へ搬送するための両面搬送路と、
原稿を給紙する原稿給紙部と、
原稿を排出する原稿排出部と、
前記原稿給紙部と前記原稿排出部を繋ぐ原稿搬送路と、
画像を読取るセンサを有する読取部と、
を有する画像形成装置において、
前記両面搬送路の一部が前記原稿搬送路と共用の共用搬送路となっており、
前記共用搬送路の、前記反転部で反転された記録材の二つの面のうち直前に前記第１の回転体と接触した記録材の面と対向する側、に前記読取部が設けられており、
前記読取部で、定着後の記録材の画像及び原稿の画像を読取る機能を有することを特徴とする画像形成装置。
【請求項２】
記録材に未定着画像を形成する画像形成部と、
記録材上の未定着画像を記録材に定着する定着部と、
前記定着部を通過した記録材の後端が先端に変わって搬送されるように記録材を反転させる反転部と、
前記反転部により反転された記録材を再び前記画像形成部へ搬送するための両面搬送路と、
原稿を給紙する原稿給紙部と、
原稿を排出する原稿排出部と、
前記原稿給紙部と前記原稿排出部を繋ぐ原稿搬送路と、
前記原稿搬送路に設けられており原稿の画像を読取るセンサを有する読取部と、
を有する画像形成装置において、
前記反転部と前記原稿搬送路を繋ぐ搬送路と、前記原稿搬送路と前記両面搬送路を繋ぐ搬送路と、を有し、
前記読取部で、定着後の記録材の画像及び原稿の画像を読取る機能を有することを特徴とする画像形成装置。
【請求項３】
前記装置は更に、記録材を記録材排出トレイへ排出する排出ローラ対を有することを特徴とする請求項２に記載の画像形成装置。
【請求項４】
記録材に未定着画像を形成する画像形成部と、
記録材上の未定着画像を記録材に定着する定着部と、
前記定着部を通過した記録材の後端が先端に変わって搬送されるように記録材を反転させる反転部と、
前記反転部により反転された記録材を再び前記画像形成部へ搬送するための両面搬送路と、
原稿を給紙する原稿給紙部と、
原稿を排出する原稿排出部と、
前記原稿給紙部と前記原稿排出部を繋ぐ原稿搬送路と、
前記原稿搬送路に設けられており原稿の画像を読取るセンサを有する読取部と、
を有する画像形成装置において、
前記定着部を通過した記録材を前記原稿排出部へ導く搬送路を有し、
前記読取部で、定着後の記録材の画像及び原稿の画像を読取る機能を有することを特徴とする画像形成装置。
【発明の詳細な説明】
【技術分野】
【０００１】
本発明は、記録材に画像を形成する、複写機やレーザービームプリンタ等の電子写真方式の画像形成装置に関し、特に原稿を読取る機能も兼ね備えた画像形成装置に関する。
【背景技術】
【０００２】
近年、原稿の画像の読み取り機能（原稿読取部）が付いている画像形成装置の小型化が進んでいる。特許文献１に記載の画像形成装置も、原稿を搬送する搬送路のレイアウトを工夫して装置の小型化を図っている。
【先行技術文献】
【特許文献】
【０００３】
【特許文献１】特開２０１４−２１５４２７号公報
【発明の概要】
【発明が解決しようとする課題】
【０００４】
ところで、原稿読取部が付いている画像形成装置に、画像形成装置がそれ自身によってプリントした記録材の画像を自動的に（ユーザの操作が途中で介在することなく）読取る機能を付加することが考えられている。この機能は、例えば、画像形成装置がそれ自身によってプリントした記録材の画像を読取り、この情報を基にして、以降のプリント時の画像形成条件を微調整することにより画質の向上を図るという目的のための機能である。特許文献１に記載の画像形成装置に記録材の画像を読取る機能を付加することも不可能ではないが、記録材に画像を形成した後、その画像を読取るまでに時間を要する構成になってしまう。例えば、両面プリントを行う場合の最初に画像が定着される面を第一面、反対の面を第二面とした時、特許文献１に記載の装置の画像読取部は両面プリント用の搬送路（両面搬送路）上で第二面と対向する側に配置されている。それ故、記録材の画像を読取る場合、記録材が画像読取部を通過した後、画像形成装置の内部で記録材をスイッチバックさせて第二面を画像読取部の側に対向させる必要がある。従って、記録材に画像を形成した後、その画像を読取るまでに時間を要する構成になってしまう。
【０００５】
また、特許文献１に記載の装置で記録材の画像を読取る場合、スイッチバックさせた記録材を両面搬送路に合流させる必要があるため、二枚目の記録材の搬送を遮ってしまう。スイッチバックしてきた一枚目の記録材が画像読取部に到達し、画像読取部を通過し終わるまでの間、二枚目の記録材を搬送することができない。そのため、連続的なプリント動作が行えず、記録材の画像を読取る際の生産性も向上しない。原稿の画像を読取る場合も、原稿の画像を読取った後に、原稿を画像形成装置の内部でスイッチバックさせて、再度、画像読取部がある位置を通過させなければならないため、改善の余地がある。
【０００６】
そこで本発明の目的は、記録材及び原稿の画像を読取る際の生産性が向上する画像形成装置を提供することにある。
【課題を解決するための手段】
【０００７】
上述の課題を解決するための本発明は、記録材に未定着画像を形成する画像形成部と、記録材上の未定着画像と接触する第１回転体と、前記第１回転体と共に定着ニップ部を形成する第２回転体と、を有し、記録材上の未定着画像を記録材に定着する定着部と、前記定着部を通過した記録材の後端が先端に変わって搬送されるように記録材を反転させる反転部と、前記反転部により反転された記録材を再び前記画像形成部へ搬送するための両面搬送路と、原稿を給紙する原稿給紙部と、原稿を排出する原稿排出部と、前記原稿給紙部と前記原稿排出部を繋ぐ原稿搬送路と、画像を読取るセンサを有する読取部と、を有する画像形成装置において、前記両面搬送路の一部が前記原稿搬送路と共用の共用搬送路となっており、前記共用搬送路の、前記反転部で反転された記録材の二つの面のうち直前に前記第１の回転体と接触した記録材の面と対向する側、に前記読取部が設けられており、前記読取部で、定着後の記録材の画像及び原稿の画像を読取る機能を有することを特徴とする。
【０００８】
また、本発明は、記録材に未定着画像を形成する画像形成部と、記録材上の未定着画像を記録材に定着する定着部と、前記定着部を通過した記録材の後端が先端に変わって搬送されるように記録材を反転させる反転部と、前記反転部により反転された記録材を再び前記画像形成部へ搬送するための両面搬送路と、原稿を給紙する原稿給紙部と、原稿を排出する原稿排出部と、前記原稿給紙部と前記原稿排出部を繋ぐ原稿搬送路と、前記原稿搬送路に設けられており原稿の画像を読取るセンサを有する読取部と、を有する画像形成装置において、前記反転部と前記原稿搬送路を繋ぐ搬送路と、前記原稿搬送路と前記両面搬送路を繋ぐ搬送路と、を有し、前記読取部で、定着後の記録材の画像及び原稿の画像を読取る機能を有することを特徴とする。
【０００９】
また、本発明は、記録材に未定着画像を形成する画像形成部と、記録材上の未定着画像を記録材に定着する定着部と、前記定着部を通過した記録材の後端が先端に変わって搬送されるように記録材を反転させる反転部と、前記反転部により反転された記録材を再び前記画像形成部へ搬送するための両面搬送路と、原稿を給紙する原稿給紙部と、原稿を排出する原稿排出部と、前記原稿給紙部と前記原稿排出部を繋ぐ原稿搬送路と、前記原稿搬送路に設けられており原稿の画像を読取るセンサを有する読取部と、を有する画像形成装置において、前記定着部を通過した記録材を前記原稿排出部へ導く搬送路を有し、前記読取部で、定着後の記録材の画像及び原稿の画像を読取る機能を有することを特徴とする。
【発明の効果】
【００１０】
本発明によれば、記録材及び原稿の画像を読取る際の生産性が向上する画像形成装置を提供できる。
【図面の簡単な説明】
【００１１】
【図１】画像形成装置の断面図
【図２】実施例１における画像読取部１００の断面図
【図３】センサユニットの断面図
【図４】プリント時の記録材の流れを示した図
【図５】原稿の画像を読取る時の原稿の流れを示した図。
【図６】両面プリント時及びプリントした画像を読取る時の記録材の流れを示した図。
【図７】実施例２における画像読取部１００の断面拡大図
【図８】実施例３における画像読取部１００の断面拡大図
【図９】実施例４における画像読取部１００の断面拡大図
【図１０】実施例５における画像読取部１００の断面拡大図
【図１１】実施例６おける画像読取部１００の断面拡大図
【図１２】実施例７における画像読取部１００の断面拡大図
【発明を実施するための形態】
【００１２】
（実施例１）
図１及び図２を用いて本発明の実施例１の画像形成装置を説明する。図２は図１の一部を拡大した図である。なお、実施例１及び後述するその他の実施例の画像形成装置は、感光体ドラムを複数備えたフルカラーレーザービームプリンタになっているが、感光体ドラムが一つしかないモノクロの画像形成装置であっても構わない。
【００１３】
（給紙部）
図１は、画像形成装置１の断面図である。画像形成装置１の下部には、記録材を収容するカセット２が引き出し可能に収納されている。カセット２の端部付近にはカセット給送部３が配置されている。そして、画像形成装置１の右側には手差し給送部４が配設されている。カセット給装部３と手差し給送部４は、夫々、記録材を１枚毎分離し、レジストローラ５に給送するようになっている。記録材搬送方向においてレジストローラ５の下流には、記録材の通過を検知する搬送センサ２００ａが配置されている。
【００１４】
（画像形成部及び定着部）
画像形成装置１は画像形成部６を有する。本例の画像形成部６は、イエロー、マゼンタ、シアン、ブラックの４つの画像形成ステーション６Ｙ、６Ｍ、６Ｃ、６Ｋを有する。画像形成部６には、像担持体である感光体７Ｙ、７Ｍ、７Ｃ、７Ｋ、各感光体の表面を均一に帯電する帯電器８Ｙ、８Ｍ、８Ｃ、８Ｋ、が設けられている。更に、画像情報に基づいてレーザービームを照射して感光体上に静電潜像を形成するスキャナユニット９、静電潜像にトナーを付着させて現像する現像器１０Ｙ、１０Ｍ、１０Ｃ、１０Ｋが設けられている。更に、感光体上のトナー像を静電転写ベルト１１に転写する一次転写部１２Ｙ、１２Ｍ、１２Ｃ、１２Ｋが配設されている。転写ベルト１１に転写されたトナー像は、二次転写部１３で記録材の表面（第一面）に転写される。その後、記録材上のトナー像は定着部１４で定着処理される。定着部１４は、内部に熱源を有する定着ローラ（第１の回転体）１４ａと、定着ローラ１４ａと共に記録材を挟持搬送する定着ニップ部を形成する加圧ローラ（第２の回転体）１４ｂを有する。記録材は定着ニップ部で搬送されつつ加熱される。これにより記録材に形成された未定着画像が記録材に定着される。なお、定着ローラ（第１の回転体）１４ａと加圧ローラ（第２の回転体）１４ｂのうち、未定着画像と接触するのは定着ローラ（第１の回転体）１４ａである。
【００１５】
（排出部及び反転部）
定着部１４の下流には搬送センサ２００ｂが配置されている。搬送センサ２００ｂが記録材に押し上げられて図中の点線の位置に位置することで、記録材が正しく搬送されていることを検知する。その後、第１のフラッパ１５ａが図中の実線の位置に位置している場合、記録材は定着部１４の左側上部に配置された排出ローラ対（排出部）１６に導かれる（図４参照）。第１のフラッパ１５ａが破線の位置に位置する場合、記録材は排出ローラ対１６よりも上部に配置されたスイッチバックローラ対（反転部）１７に導かれる。スイッチバックローラ対１７は、定着部１４を通過した記録材の後端が先端に変わって搬送されるように記録材を反転させるローラ対である。排出ローラ対１６は定着処理済みの記録材を装置外に排出するローラ対であり、排出ローラ対１６側に搬送された記録材は記録材積載部（記録材排出トレイ）１８に排出される。なお、符号１９は、定着部１４から排出部１６へ記録材を案内する排出搬送路である。
【００１６】
（画像読取部）
次に原稿の画像を読取る画像読取部１００について説明する。画像読取部１００は、画像形成装置１内であって、定着部１４よりも上部に配設されている。画像読取部１００は、原稿の画像を読取るセンサユニット（イメージセンサ）１０１ａ、１０１ｂ、原稿を積載収容する原稿給紙トレイ１０２、原稿を給紙搬送する原稿給紙部１０３等を有する。更に、原稿をセンサユニットに向って搬送するレジストローラ１０４、画像を読取った原稿を排出する原稿排出ローラ対（原稿排出部）１０５、画像を読取った原稿を積載する原稿排出トレイ１０６等を有する。
【００１７】
図３はセンサユニット１０１ｂの断面図及び斜視図である。センサユニット１０１ａと原稿搬送方向において同じ位置にあるセンサユニット１０１ｂは、図３に示すように、ガラス等の透過性の材質で形成された読取面２０１を有する。更に、ホルダ２０２、ハウジング２０３、用紙幅方向に配列されたＬＥＤアレイ２０４、受光素子２０５、ロッドレンズ２０６を有する。ホルダ２０２はＬＥＤアレイ２０４、受光素子２０５、ロッドレンズ２０６を保持する樹脂部品である。ハウジング２０３はアルミ製である。原稿は、その読取られる面が読取面２０１に接触しつつ搬送される。また、ＬＥＤアレイ２０４から出射した光は原稿面で反射し、その反射光をロッドレンズ２０６で集光し、受光素子２０５に結像する。受光素子２０５は、入力された光を電圧に変換することで、原稿面の情報を電気信号に変換して画像データとする。センサユニット１０１ａはセンサユニット１０１ｂを上下逆さまに配置しただけであるので詳細な説明は割愛する。
【００１８】
（原稿の給紙と排出、及び原稿読取動作）
次に、原稿の給紙と排出及び原稿の画像読取の説明を行う。画像形成装置１の右上部には、第２のフラッパ１５ｂ、第３のフラッパ１５ｃ、画像読取部１００等が配置されている。
【００１９】
原稿画像を読取る場合、第２のフラッパ１５ｂ及び第３のフラッパ１５ｃを実線部の位置に動かすことにより、原稿を原稿レジストローラ１０４から原稿排出ローラ対１０５へ搬送する原稿搬送路１０７を形成する（図５参照）。その後、原稿給紙部１０３で原稿給紙トレイ１０２に積載収容された原稿を１枚毎に分離し、原稿レジストローラ１０４に給送する。さらにその後、原稿レジストローラ１０４で原稿をセンサユニット１０１ａへ搬送し、センサユニット１０１ａは搬送された原稿の画像を読取る。
【００２０】
センサユニット１０１は、画像形成装置１の内部かつ原稿搬送路１０７の上部に互いに画像の読取を行う面（図３の面２０１）が対向するように配設される。センサユニット１０１に関しては、図３に示したようなＣＩＳ（コンタクトイメージセンサ）などを用いることができる。２個のセンサユニット１０１ａ、１０１ｂを互いに対向させて配設することにより、センサユニット間を通過した原稿の両面の画像や、後述するが記録材の両面にプリントされた画像を一回の搬送で読取ることができる。原稿や記録材の両面の画像を一度に読取る必要がなければ、センサユニットは一個だけ配置すればよい。但し、センサユニットを一個だけにする場合、センサユニット１０１ａを取り除き、センサユニット１０１ｂを残す。
【００２１】
画像が読取られた原稿は、原稿排出ローラ対１０５で搬送され、原稿排出トレイ１０６に排出される。センサユニット１０１ａで読取った画像データは電子データとしてネットワーク上のコンピュータに保管されるか、あるいは不図示の制御部にてプリントデータに変換されて、新たな記録材へ複写される。
【００２２】
また、原稿給紙トレイ１０２を手差し給送部４の上方に（図１）、原稿排出トレイ１０６を記録材積載部１８の上方に、それぞれ配設している。原稿及び記録材をユーザが積載収容する際のアクセス方向と、排出された原稿及び記録材をユーザが取り除く際のアクセス方向を、同じ方向で統一している。これにより、ユーザが装置を扱いやすいようにしている。
【００２３】
（記録材裏面へのプリント）
記録材の裏面（第二面）にプリントを行う場合は、第１のフラッパ１５ａを破線の位置に、第２のフラッパ１５ｂを実線の位置に動かす。これにより排出搬送路１９の途中の第１の分岐点２０からスイッチバックローラ対１７へ記録材を搬送する（案内する）第１の搬送路２１を形成し、記録材を定着部１４からスイッチバックローラ対１７へ搬送する。その後、記録材を図２の左方向に送る方向にスイッチバックローラ対１７を回転させることにより、記録材の後端が第２のフラッパ１５ｂの先端を通過するまで記録材を搬送する。さらにその後、第２のフラッパ１５ｂを破線の位置に動かすことにより、スイッチバックローラ対１７からセンサユニット１０１ａ、１０１ｂへ記録材を搬送する（案内する）第２の搬送路２２を形成する。さらにその後、第３のフラッパ１５ｃを破線の位置に動かす。そして、スイッチバックローラ対１７を一時停止させ、記録材を図２の右方向に送る方向にスイッチバックローラ対１７を回転させる。これにより、記録材を、第２の搬送路２２、センサユニット１０１ａ、１０１ｂを経由して両面搬送路２７方向へ搬送する。なお、第２のフラッパ１５ｂ及び第３のフラッパ１５ｃを動かすタイミングは、記録材の後端が搬送センサ２００ｂを通過してから所定の時間が経過した後とすればよい。両面搬送路２７の途中には搬送センサ２００ｃ（図１）が配設され、上記の搬送センサ２００ａと同様の仕組みによって記録材が正しく搬送されているか否かを検知する。以上説明した裏面プリント時の記録材の流れを図６に示す。
【００２４】
（再給紙）
記録材を両面搬送路２７に搬送した後、記録材を両面搬送ローラ対２５、ローラ対２６を経由して再度レジストローラ５へ搬送する。その後、記録材を二次転写部１３、定着部１４、排出搬送路１９を経由して排出ローラ対１６へ搬送し記録材積載部１８に排出する。
【００２５】
（記録材の画像（プリント画像）の読取）
定着部１４によりトナー画像を定着された記録材の画像を読取る場合、前述の記録材の裏面にプリントを行う場合と全く同じ過程（図６）で記録材は搬送される。記録材の画像読取りは、記録材がセンサユニット１０１ｂを通過する際にセンサユニット１０１ｂで行っている。読取った画像情報は、不図示の画像情報処理部にて記録あるいは特徴抽出などといった処理がなされる。これらの処理により得られる情報を用いて、プリント画像の評価や画像形成条件の調整などを行うことができる。また、読取った画像情報を装置内部に配設された不図示のメモリやネットワーク上の不図示のコンピュータなどといった電子的記録部に保存することができる。
【００２６】
ところで、本例の装置は、両面搬送路２７の一部が原稿搬送路と共用の共用搬送路２７Ｐ（図２参照）となっている。そして、共用搬送路２７Ｐの、反転部１７で反転された記録材の二つの面のうち直前に第１の回転体１４ａと接触した記録材の面と対向する側、にセンサユニット（読取部）１０１ｂが設けられている。更に、センサユニット１０１ｂで、定着後の記録材の画像、及び原稿の画像を読取る機能を有している。これにより、記録材及び原稿の画像を読取る際の生産性が向上する画像形成装置を提供できる。
【００２７】
また、本例の装置は、原稿給紙部１０３から給送された原稿の画像を読取る際の原稿搬送方向（図２の左方向に送る方向）と、定着後の記録材の画像を読取る際の記録材搬送方向（図２の右方向に送る方向）と、が逆である。そして、この搬送方向が互いに逆の原稿と記録材の画像をセンサユニット１０１が読取る構成となっている。これにより、記録材及び原稿の給紙エリアがいずれも図１右側となり、記録材及び原稿の排出エリアが図１の左側となる。このような構成とすることで、良質なユーザクセス性を実現しながら、記録材及び原稿の画像を読取る生産性を向上させ、且つ両立させることが可能となる。
【００２８】
（実施例２）
実施例２のプリンタは、記録材の裏面へのプリント過程、記録材のプリント画像の読取過程、以外は実施例１と同じであるため、重複する部分の説明は割愛する。記録材の裏面へのプリント過程、記録材のプリント画像の読取過程で実施例１と異なる特徴的な部分を、図７に基づいて説明していく。なお、符号についても実施例１と同様の部分には同様の符号を付す。
【００２９】
（記録材裏面へのプリント）
記録材の裏面にプリントを行う場合は、第１のフラッパ１５ａを破線の位置に、第２のフラッパ１５ｂを実線の位置に動かす。これにより、記録材を定着部１４からスイッチバックローラ対１７へ搬送する。その後、記録材を図７の左方向に送る方向にスイッチバックローラ対１７を回転させることにより、記録材の後端が搬送ガイド先端部２８を通過するまで記録材を搬送する。さらにその後、第２のフラッパ１５ｂは実線の位置のままで、第１のフラッパ１５ａを実線の位置に動かすことにより、スイッチバックローラ対１７から両面搬送路２７へ記録材を搬送する搬送路２３を形成する。搬送路２３は、定着部１４とセンサユニット１０１との間で、且つ両面搬送路２７と合流するよう画像形成装置１内部に配設されている。さらにその後、スイッチバックローラ対１７を一時停止してから記録材を図３の右方向に送る方向に回転させることにより、記録材を搬送路２３、を経由させて両面搬送路２７方向へ搬送する。
【００３０】
（記録材の画像（プリント画像）の読取）
定着部１４によりトナー画像を定着された記録材の画像を読取る場合は、第１のフラッパ１５ａを破線の位置に、第２のフラッパ１５ｂを実線の位置に動かし、記録材を定着部１４からスイッチバックローラ対１７へ搬送する。その後、記録材を図７の左方向に送る方向にスイッチバックローラ対１７を回転させることにより、記録材の後端が第２のフラッパ１５ｂ先端を通過するまで記録材を搬送する。さらにその後、第２のフラッパ１５ｂ及び第３のフラッパ１５ｃを破線の位置に動かす。これにより、スイッチバックローラ対１７からセンサユニット１０１へ記録材を搬送する搬送路２２、センサユニット１０１から両面搬送路２７へ記録材を搬送する搬送路２４を形成する。第２のフラッパ１５ｂ及び第３のフラッパ１５ｃを動かすタイミングは、実施例１と同じである。さらにその後、スイッチバックローラ対１７を一時停止してから記録材を図７の右方向に送る方向に回転させることにより、記録材を、搬送路２２、センサユニット１０１、第４の搬送路２４、を経由して両面搬送路２７方向へ搬送する。このとき、センサユニット１０１ｂは搬送中の記録材にプリントされた画像を読取る。その後の動作に関しては実施例１と同じであるため、説明は割愛する。
【００３１】
本例では、センサユニット（読取部）１０１ｂは原稿搬送路１０７に設けられている。また、スイッチバックローラ対（反転部）１７と原稿搬送路１０７を繋ぐ搬送路２２、及び原稿搬送路１０７と両面搬送路２７を繋ぐ搬送路２４を設け、センサユニット１０１ｂで、定着後の記録材の画像、及び原稿の画像を読取る機能を有する。これにより、記録材及び原稿の画像を読取る際の生産性が向上する画像形成装置を提供できる。また、原稿搬送路１０７と両面搬送路２３が分かれているので、原稿の画像読取と、記録材の第二面へのプリントのための両面搬送路２３での記録材の搬送と、を同時に行うことが可能となる。
【００３２】
（実施例３）
図８に示す実施例３のプリンタは、記録材の画像を読取る際、原稿排出ローラ対３０が記録材を反転させる反転部の役目（即ち実施例２におけるスイッチバックローラ対１７の役目）を果たすものである。記録材の第二面に画像を形成する場合はスイッチバックローラ対１７で記録材を反転させる。符号２２Ｅは定着部１４を通過した記録材を原稿搬送路１０７へ（原稿排出ローラ対３０へ）導く搬送路である。その他の動作は実施例２と同様なので説明は割愛する。このような構成でも、記録材及び原稿の画像を読取る際の生産性が向上する画像形成装置を提供できる。また、原稿搬送路１０７と両面搬送路２３が分かれているので、原稿の画像読取と、記録材の第二面へのプリントのための両面搬送路２３での記録材の搬送と、を同時に行うことが可能となる。
【００３３】
（実施例４）
図９に示す実施例４のプリンタは、記録材を記録材排出トレイ１８に排出する排出ローラ対３１がスイッチバックローラ対となっている。そして、記録材の画像を読取る際、排出ローラ対３１が記録材を反転させる反転部の役目（即ち実施例１におけるスイッチバックローラ対１７の役目）を果たすものである。記録材の第二面に画像を形成する場合もスイッチバックローラ対３１で記録材を反転させる。符号２２Ｆは排出ローラ対（スイッチバックローラ対）３１からセンサユニット１０１へ（原稿搬送路１０７へ）記録材を搬送する搬送路である。その他の動作は実施例１と同様なので説明は割愛する。このような構成でも、記録材及び原稿の画像を読取る際の生産性が向上する画像形成装置を提供できる。また、本例では搬送ローラ対の数が減るので、シンプルな搬送路構成を実現できる。
【００３４】
（実施例５）
図１０に示す実施例５のプリンタも、記録材を記録材排出トレイ１８に排出する排出ローラ対３１がスイッチバックローラ対となっている。そして、記録材の画像を読取る際、排出ローラ対３１が記録材を反転させる反転部の役目（即ち実施例２におけるスイッチバックローラ対１７の役目）を果たすものである。記録材の第二面に画像を形成する場合もスイッチバックローラ対３１で記録材を反転させる。符号２２Ｇは排出ローラ対（スイッチバックローラ対）３１からセンサユニット１０１へ（原稿搬送路１０７へ）記録材を搬送する搬送路である。その他の動作は実施例２と同様なので説明は割愛する。このような構成でも、記録材及び原稿の画像を読取る際の生産性が向上する画像形成装置を提供できる。また、本例では搬送ローラ対の数が減るので、シンプルな搬送路構成を実現できる。また、原稿搬送路１０７と両面搬送路２３が分かれているので、原稿の画像読取と、記録材の第二面へのプリントのための両面搬送路２３での記録材の搬送と、を同時に行うことが可能となる。
【００３５】
（実施例６）
図１１に示す実施例６のプリンタは、記録材の画像を読取る際、原稿排出ローラ対３２が記録材を反転させる反転部の役目（即ち実施例３におけるスイッチバックローラ対１７の役目）を果たすものである。記録材の第二面に画像を形成する場合も原稿排出ローラ対３２で記録材を反転させる。符号２２Ｈは定着部１４を通過した記録材を原稿搬送路１０７へ（原稿排出ローラ３２へ）導く搬送路である。その他の動作は実施例３と同様なので説明は割愛する。このような構成でも、記録材及び原稿の画像を読取る際の生産性が向上する画像形成装置を提供できる。また、搬送ローラ対の数が減るので、シンプルな搬送路構成を実現できる。
【００３６】
（実施例７）
図１２に示す実施例７のプリンタは、実施例６のプリンタに対して両面搬送路２３を追加した点が異なっている。記録材の第二面に画像を形成する場合、原稿排出ローラ対３２で記録材を反転させ、その記録材を両面搬送路２３へ導いている。符号２２Ｈは定着部１４を通過した記録材を原稿搬送路１０７へ（原稿排出ローラ３２へ）導く搬送路である。その他の動作は実施例６と同様なので説明は割愛する。このような構成でも、記録材及び原稿の画像を読取る際の生産性が向上する画像形成装置を提供できる。また、搬送ローラ対の数が減るので、シンプルな搬送路構成を実現できる。また、原稿搬送路１０７と両面搬送路２３が分かれているので、原稿の画像読取と、記録材の第二面へのプリントのための両面搬送路２３での記録材の搬送と、を同時に行うことが可能となる。
【符号の説明】
【００３７】
１４  定着部
１６  排出ローラ対
１７  スイッチバックローラ対
１０１  画像読取部
１０３  原稿給紙部
１０７  原稿搬送路
【図１】
2018018029.tif 000003
【図２】
2018018029.tif 000004
【図３】
2018018029.tif 000005
【図４】
2018018029.tif 000006
【図５】
2018018029.tif 000007
【図６】
2018018029.tif 000008
【図７】
2018018029.tif 000009
【図８】
2018018029.tif 000010
【図９】
2018018029.tif 000011
【図１０】
2018018029.tif 000012
【図１１】
2018018029.tif 000013
【図１２】
2018018029.tif 000014